(57)【要約】【課題】削孔作業するマンホール内壁面の高さ位置によらず、常に楽な姿勢で削孔作業を行うことができるステップの取付孔の削孔方法及び削孔設備を提供する。【解決手段】削孔ドリル３１を備えた削孔装置と作業員５０の腰掛部１２を備えた作業台１０を、吊下げ架台１から繰り出すチェーン３を介してマンホール４０内に上下動自在に吊下げた。作業台に搭乗した作業員５０が削孔ドリル３１を操作してマンホール内壁面４４にステップ取付用の取付孔を削孔することができるので、削孔作業するマンホール内壁面の高さ位置によらず、常に楽な姿勢で削孔作業を行うことができる。【選択図】図１
2008240332.tif 000002
【特許請求の範囲】
【請求項１】
削孔ドリルを備えた削孔装置を装着した作業台を、マンホール外に設置した吊下げ架台から吊下げたチェーンを介してマンホール内に上下動自在に吊持し、作業台に搭乗した作業員が前記削孔装置を操作してマンホール内壁面にステップ取付用の取付孔を削孔することを特徴とするマンホール用ステップの取付孔の削孔方法。
【請求項２】
前記作業台に設置した腰掛部に作業員が腰掛けた姿勢で削孔装置を操作することを特徴とする請求項１に記載のマンホール用ステップの取付孔の削孔方法。
【請求項３】
削孔ドリルを備えた削孔装置と、該削孔装置を設置する据付台と、作業員の搭乗部と、を備えた作業台と、該作業台をマンホール内で上下動自在に吊持する吊下げ架台と、を備えることを特徴とするマンホール用ステップの取付孔の削孔設備。
【請求項４】
前記作業台に、マンホール内壁面に取り付けたステップが通過する切欠き開口部を備えることを特徴とする請求項３に記載のマンホール用ステップの取付孔の削孔設備。
【発明の詳細な説明】
【技術分野】
【０００１】
本発明は、下水道施設などのマンホールの内壁面に作業員などが昇降する際に利用するステップを取り付けるステップの取付孔を削孔する削孔方法及び削孔設備に関する。
【背景技術】
【０００２】
一般に、コンクリート製のマンホールの内壁面には、作業員などが昇降するための複数のステップが上下方向に所定間隔置きに設置されている。ステップは、全体としてほぼコ字状に形成されており、その両端部をマンホール内壁面に削孔した一対の取付孔に挿入して、接着用樹脂やモルタルなどにより接着固定している。
【０００３】
特許文献１には従来のステップ取付孔の削孔装置が開示されている。この削孔装置を利用してマンホール内壁面にステップを取り付ける取付孔を削孔する場合、図７に示すように、前部反力受け３５と後部反力受け３６を備えたセンターバー３４を拡張ハンドル３７を回動操作することにより、センターバー３４の両端を突っ張ってマンホール壁４３内のマンホール内壁面４４に水平に固定し、センターバー３４の長手方向に前後進移動自在に取り付けたドリル取付フレーム３８に左右対称に取付けた２台の電動ドリル３０の削孔ドリル３１を利用して、マンホール壁４３に一対のステップ取付孔を同時に削孔していた。
【０００４】
また、特許文献２には、長手方向両端にマンホールの内周壁に当接可能な当て板部材を備えた伸縮可能なドリル支持部材と、該ドリル支持部材に対し摺動可能に配設された摺動枠と、摺動枠に搭載されて摺動枠が前進した際にマンホールの内周壁に孔を開けるドリルと、摺動枠に回動可能に設けられた水平ピンに取り付けられると共に摺動枠に設けたラックに離脱自在に噛合されたピニオンと、ラックに噛合されたピニオンを回動させるため水平ピンに取り付けられた操作レバーと、を備えたドリル装置が開示されている。
【０００５】
特許文献１に開示されたステップ取付孔の削孔装置では、一対の削孔ドリルを利用して２つのステップ取付孔を同時に削孔することができるが、マンホール内壁面の高さ方向の位置により削孔装置を操作する作業員の足場が不安定になる場合があり、削孔作業が制約を受けるおそれがある。
【０００６】
また、特許文献２に開示されたドリル装置は、特許文献１の削孔装置と同様に、マンホール内壁面の高さ方向の位置により削孔作業が制約を受けるおそれがあるだけでなく、１台のドリルを備えているだけであるので、ステップ取付孔の削孔作業がさらに煩雑となってしまう。
【特許文献１】特開２００７−２３６１３号公報
【特許文献２】特開２００２−１６０１１１号公報
【発明の開示】
【発明が解決しようとする課題】
【０００７】
本発明は、上記事情に鑑みてなされたもので、削孔作業するマンホール内壁面の高さ位置によらず、常に楽な姿勢で削孔作業を行うことができるステップの取付孔の削孔方法及び削孔設備を提供することを目的とする。
【課題を解決するための手段】
【０００８】
請求項１に記載のマンホール用ステップの取付孔の削孔方法に係る発明は、削孔ドリルを備えた削孔装置を載置した作業台を、マンホール外に設置した吊下げ架台から吊下げたチェーンを介してマンホール内に上下動自在に吊持し、作業台に搭乗した作業員が削孔装置を操作してマンホール内壁面にステップ取付用の取付孔を削孔することを特徴とする。
請求項２に記載のマンホール用ステップの取付孔の削孔方法に係る発明は、請求項１に記載の発明において、作業台に設置した腰掛部に作業員が腰掛けた姿勢で削孔装置を操作することを特徴とする。
【０００９】
請求項３に記載のマンホール用ステップの取付孔の削孔設備に係る発明は、削孔ドリルを備えた削孔装置と、該削孔装置を設置する据付台と、作業員の搭乗部と、を備えた作業台と、該作業台をマンホール内で上下動自在に吊持する吊下げ架台と、を備えることを特徴とする。
請求項４に記載のマンホール用ステップの取付孔の削孔設備に係る発明は、請求項３に記載の発明において、作業台に、マンホール内壁面に取り付けたステップが通過する切欠き開口部を備えることを特徴とする。
【発明の効果】
【００１０】
請求項１に係る発明によれば、マンホール外に設置した吊下げ架台から吊下げた作業台に設置した削孔装置を同じ作業台に搭乗した作業員が操作してマンホール内壁面にステップ取付用の取付孔を削孔することができるので、削孔作業するマンホール内壁面の高さ位置によらず、常に楽な姿勢で削孔作業を行うことができるステップの取付孔の削孔方法を提供することができる。
また、請求項２に係る発明によれば、請求項１の効果に加えて、作業台に設置した腰掛部に作業員が腰掛けた姿勢で削孔装置を操作することができるので、さらに楽な姿勢で削孔作業を行うことができるステップの取付孔の削孔方法を提供することができる。
【００１１】
一方、請求項３に係る発明によれば、削孔作業するマンホール内壁面の高さ位置によらず、常に楽な姿勢で削孔作業を行うことができるステップの取付孔の削孔設備を提供することができる。
また、請求項４に係る発明によれば、請求項３の効果に加えて、作業台に、マンホール内壁面に取り付けたステップが通過する切欠き開口部を備えるので、同じ作業台を利用して、マンホール内壁面へのステップ取付作業や、マーンホール内壁面にステップを取り付けた後のマンホールのメンテナンス作業などを実施することが可能となる。
【発明を実施するための最良の形態】
【００１２】
以下、本発明の実施の形態に係るマンホール用ステップの取付孔の削孔方法及び削孔設備を図１〜図６に基づいて図７を参照しながら説明する。
まず、マンホール用ステップの取付孔の削孔方法に係る削孔作業の概要を説明する。
【００１３】
図１に示すように、ステップの取付孔の削孔作業を行うマンホール４０のマンホール開口部４２の上方の地面４１上にチェーンブロック２を備えた吊下げ架台１を設置する。その後、チェーンブロック２のチェーン３を吊下げ金具４に連結して、削孔ドリル３１を備えた削孔装置を装着した作業台１０をロープ７を介して吊下げる準備をする。
そして、削孔ドリル３１を備えた削孔装置を設置した作業台１０を、吊下げ架台１から吊下げた状態で、チェーンブロック２からチェーン３を繰り出してマンホール開口部４２からマンホール４０内に降下させる。この場合、作業員５０は最初から作業台１０に乗り込んでもよい。
【００１４】
その後、作業台１０をマンホール内壁面４４のステップの取付孔を削孔する位置まで降下させた後、チェーン３の繰り出し作業を停止する。そして、作業台１０に搭乗した作業員５０が一対の削孔ドリル３１を操作してマンホール内壁面４４にステップ取付用の一対の取付孔を同時に削孔する。この場合、作業員５０は、作業台１０上に設置した腰掛部１２に腰掛けた姿勢で、削孔ドリル３１を備えた削孔装置をマンホール内壁面４４の所定位置に位置決めして、操作レバー３９を操作して削孔作業を行うことができる。
削孔作業が終了した後、再びチェーン３を繰り出して、次のステップの取付孔を削孔する位置まで降下させた後、再びステップの取付孔の削孔作業を行う。以後、チェーン３の繰り出し作業及び削孔作業を順次行って、所定数のステップの取付孔をマンホール壁４３に形成する。
削孔作業の終了後は、チェーン３を巻き戻して作業台１０を上昇させて、マンホール開口部４２から作業台１０を地面４１上に取り出して、マンホール用ステップの取付孔の削孔作業を終了する。その後、削孔ドリル３１を備えた削孔装置を取り外した作業台１０に作業員５０が搭乗して、削孔した取付孔にステップを取り付けるステップ取付作業を実施する。
【００１５】
上述したように、マンホール用ステップの取付孔の削孔作業は、マンホール内壁面４４に所定数の取付孔を削孔するまで連続して実施して、その後、削孔ドリル３１を備えた削孔装置を取り外した作業台１０に作業員５０が搭乗して、削孔した取付孔にステップを取り付けるステップ取付作業を実施することを基本とするが、削孔作業及びステップ取付作業は、一対の取付孔を削孔した後に順次ステップの取付作業を繰り返して実施してもよい。
ここで、本発明に係る削孔方法で使用する作業台１０には、図２に示すように、マンホール壁４３に取り付けたステップ４５が通過できる程度の大きさの切欠き開口部１１が形成されているので、削孔作業、ステップ取付作業、または、これらの作業を組み合わせた作業でも、支障なく実施することができる。また、ステップ取付作業も作業台１０に設置した腰掛部１２に作業員５０が腰掛けた姿勢で行うことができる。
【００１６】
次に、本発明の実施の形態に係るマンホール用ステップの取付孔の削孔設備について説明する。
マンホール用ステップの取付孔の削孔設備は、一対の削孔ドリル３１を備えた削孔装置と、この削孔装置を搭載する作業台１０と、この作業台１０をマンホール４０内で上下動自在に吊持する吊下げ架台１と、から概略構成されている。
【００１７】
図１に示すように、吊下げ架台１は、少なくとも３本の脚部を備えており、各脚部を広げた状態で、図１に示すように、マンホール開口部４２の上方の地面４１上に設置される。また、吊下げ架台１は、その上部にチェーンブロック２を備えており、このチェーンブロック２からチェーン３を繰り出すことができるように構成されている。
また、図５に示すように、作業台１０を吊下げる吊下げ金具４は、ほぼ十字状に形成されており、吊下げ金具４の各端部の上面にはチェーンを掛止する掛止環５が、また、各端部の下面には、ロープ７を掛け止めるフック６が、それぞれ取り付けられている。なお、図５には、チェーンブロック２のチェーン３と吊り下げ金具４の各端部の上面に取り付けた掛止環５とを連結するチェーンは図示を省略している。
【００１８】
そして、チェーン３を介して作業台１０を吊下げる場合には、まず、各ロープ７の一端部に取り付けた掛止具１９を、それぞれ作業台１０の四隅に固着した後、各ロープ７の他端部を、それぞれフック６に掛けて、作業台１０に吊下げ金具４を取り付ける。次に、吊下げ金具４の各掛止環５に、それぞれチェーンの一端部を掛止した後、各チェーンの他端部を、チェーン３の端部に取り付けた掛止環に掛け止める。この状態で、図１及び図５に示すように、作業台１０を吊下げる準備が完了する。なお、作業台１０と吊下げ金具４とを連結する４本のロープ７は、作業台１０の四隅と十字形状の吊下げ金具４との間に左右方向に間隔をあけて配設されているため、図１に示すように、作業台１０に作業員５０が搭乗した際に邪魔になることはない。
【００１９】
図２及び図３に示すように、作業台１０はほぼ円盤状のグレーチングから構成されており、図２の図視方向に格子状に複数の貫通孔が形成されている。作業台１０の外径は、マンホール４０のマンホール開口部４２（図１参照）を通過できる程度の外径で、マンホール壁４３のマンホール内壁面４４の内径よりも小径に形成されている。また、作業台１０には、マンホール壁４３に取付端部４６を取り付けたステップ４５と干渉しないような大きさの切欠き開口部１１が形成されている。このように、作業台１０に切欠き開口部１１を形成することにより、マンホール内壁面４４にステップ４５を取り付けるステップ取付作業やマンホール内壁面４４にステップ４５を取り付けた後のメンテナンス作業などを、ステップ４５が邪魔になることがなく容易に実施することができる。
また、図示した作業台１０はほぼ円盤状のグレーチングから構成されているが、作業台１０をヒンジを利用して二つ折り構造に構成することにより、作業台１０をマンホール開口部４２から挿入する場合、挿入作業をさらに容易にすることができる。この場合、作業台１０の切欠き開口部１１とほぼ平行する方向（後述するセンターバー保持具１８と直交する方向）に沿って、作業台１０を二つ折り構造に構成する方がよいが、どの方向に沿って二つ折り構造にしてもよい。さらに、作業台１０は、３部材以上に分断して、各分断部に沿って折り畳むような構造を採用することもできる。
そして、作業台１０は、図１に示すように、吊下げ架台１から繰り出すチェーン３、吊下げ金具４及び少なくとも４本のロープ７を介して、マンホール４０内に上下動自在に吊下げられる。
【００２０】
また、図３に示すように、作業台１０には、据付台基部１４及び据付台本体１５が図示しない締結手段（例えば、ボルト及びナット）を介して取り付けられている。据付台基部１４及び据付台本体１５は有底円筒部材から構成されており、据付台本体１５を据付台基部１４に挿入して両者の各底部を重ね合わせた状態で図示しない締結手段で作業台１０に取り付けられる。据付台本体１５の上部には、切欠き開口部１１とほぼ平行に支持杆１６が取り付けられている。この支持杆１６は、図４に示すセンターバー保持具１８を前後揺動自在に支持する。また、据付台本体１５の上部には、支持杆１６と直交する方向に一対の切欠き１７が形成されており、これらの切欠き１７にセンターバー保持具１８が遊嵌されている。センターバー保持具１８は支持杆１６に支持された状態で、一対の切欠き１７にガイドされて前後方向に揺動する。
【００２１】
さらに、図６に示すように、作業台１０には、削孔装置と腰掛台１２が設置される。ここで、削孔装置は、図７に示す従来の削孔装置とほぼ同じ部材から構成されている。簡単に説明すると、図６及び図７に示すように、削孔装置は、削孔ドリル３１を備えた電動ドリル３０と、二台の電動ドリル３０を左右対称に保持するドリル取付フレーム３８と、電動ドリル３０を作動させて一対の削孔ドリル３１を操作する操作レバー３９と、から概略構成されている。各電動ドリル３０は給水装置３２を備えており、削孔ドリル３１によるステップ取付孔の削孔作業の際に、給水ホース３３を介して削孔ドリル３１の中空部から水を供給する。
【００２２】
また、ドリル取付フレーム３８は、センターバー３４に前後進自在に取り付けられており、センターバー３４は前部反力受け３５と後部反力受け３６を備え、拡張ハンドル３７により全長が調整されるように構成されている。そして、拡張ハンドル３７を操作することにより、後部反力受け３６をマンホール内壁面４４に押し付けて、センターバー３４、すなわち、削孔装置を所定位置に位置決め固定できるようにしている。なお、図６に示すセンターバー３４は前部反力受け３５に拡張ハンドル３７が設けられているのに対して、図７に示す従来のセンターバー３４は後部反力受け３６に拡張ハンドル３７が設けられているが、センターバー３４を伸縮する機能は同じように構成されている。
【００２３】
そして、図６に示すように、腰掛台１２は、外形が鳥居形状に形成されており、両方の脚部１３が作業台１０の格子部に挿入された状態で図示しない固定手段により固定されている。この腰掛台１２は、図１に示すように、作業員５０が作業台１０上に搭乗した状態で腰掛けて作業ができる高さに設置されている。なお、作業台１０上には、削孔装置を設置する据付台１４，１５と腰掛部１２の両脚部１３が配設されているので、作業員５０が腰掛台１２に腰掛けた姿勢で両足を置く作業台１０の上面が作業員の搭乗部となる。
【図面の簡単な説明】
【００２４】
【図１】本発明の一実施形態に係るステップの取付孔を削孔する削孔方法及び削孔装置を説明する図である。
【図２】図１の削孔装置の作業台を、削孔装置を取り除いて示す平面図である。
【図３】作業台に、削孔装置を据え付ける据付台を取り付けた状態を示す斜視図である。
【図４】図３に示す作業台に、削孔装置を支持するセンターバー保持具を装着した状態を示す斜視図である。
【図５】図４に示す作業台に、吊下げ金物を装着した状態を示す斜視図である。
【図６】図４に示す作業台に、削孔装置及び腰掛台を装着した状態を示す斜視図である。
【図７】従来の削孔装置をマンホールに設置した状態を示す平面図である。
【符号の説明】
【００２５】
１  吊下げ架台、２  チェーンブロック、３  チェーン、４  吊下げ金物、５  掛止環、６  フック、７  ロープ、１０  作業台、１１  切欠き開口部、１２  腰掛台、１３  脚部、１４  据付台基部、１５  据付台本体、１６  支持軸、１７  切欠き、１８  センターバー保持具、１９  掛止具、３０  電動ドリル、３１  削孔ドリル、３２  給水装置、３３  給水管、３４  センターバー、３５  前部反力受け、３６  後部反力受け、３７  拡張ハンドル、３８  ドリル取付フレーム、３９  操作レバー、４０  マンホール、４１  地面、４２  マンホール開口部、４３  マンホール壁、４４  マンホール内壁面、４５  ステップ、４６  取付端部、５０  作業員
【図１】
2008240332.tif 000003
【図２】
2008240332.tif 000004
【図３】
2008240332.tif 000005
【図４】
2008240332.tif 000006
【図５】
2008240332.tif 000007
【図６】
2008240332.tif 000008
【図７】
2008240332.tif 000009